(57)【要約】【課題】懸垂碍子成形型などのセラミックス製品を割れや変形等を生じさせることなく成形型から確実に取り出すことができる懸垂碍子成形型を提供する。【解決手段】金属製の型本体１の内周面に複数の離型用ブローエア噴出孔２を有しており、このブローエア噴出孔２には各々エア分岐管３が連結され、これらエア分岐管３の基部が底部中央に設けたカプラ４に集約されている。前記カプラ４は底部の下面側において昇降動するエア供給配管５に着脱自在とされており、また底部に前記エア供給配管５と干渉しないように独立して昇降自在とされている製品の押し上げ装置７を設けた。【選択図】図１
2011194716.tif 000002
【特許請求の範囲】
【請求項１】
金属製の型本体の内周面に複数の離型用ブローエア噴出孔を有しており、このブローエア噴出孔には各々エア分岐管が連結され、これらエア分岐管の基部が底部中央に設けたカプラに集約されている懸垂碍子成形型であって、前記カプラは底部の下面側において昇降動するエア供給配管に着脱自在とされており、また底部に前記エア供給配管と干渉しないように独立して昇降自在とされている製品の押し上げ装置を設けたことを特徴とする懸垂碍子成形型。
【請求項２】
押し上げ装置は、型本体の底部を形成する底板と、この底板から下方に向けてエア供給配管を囲うように垂設した複数本のロッドと、このロッドを介して取り付けられたエア供給配管挿通陽の孔部を設けた押し上げ板を有しており、この押し上げ板が前記エア供給配管と干渉しない位置に配置されたシリンダにより昇降自在とされている請求項１に記載の懸垂碍子成形型。
【請求項３】
型本体の下部外周面には、下方に向け縮径するテーパ面が形成されており、このテーパ面をチャックユニットで把持してセンター出しが行われる請求項１または２に記載の懸垂碍子成形型。
【発明の詳細な説明】
【技術分野】
【０００１】
本発明は、懸垂碍子を割れや変形等を生じさせることなく成形型から確実に取り出すことができる懸垂碍子成形型に関するものである。
【背景技術】
【０００２】
例えば、懸垂碍子のような複雑な形状のセラミックス製品は、特許文献１や特許文献２に記載される多孔質石膏型の成形型を用いることにより、原料坏土を成形型の表面に加圧密着させ、正確な形状に成形している。また、成形したセラミックス製品を成形型から取り出す際には、多孔質の成形型から加圧空気のエアブローを行い製品を僅かに浮き上がらせて離型を図ると同時に、上部から吸着板を下降させてセラミックス製品を真空吸着して取り出すようにして、割れや変形等の発生を防止している。
【０００３】
しかしながら、前記特許文献１や特許文献２に記載される従来方法においては、エアブローによりセラミックス製品が均一に浮き上がらないことがあり、吸着板を上昇させた際に吸着が不十分で離型ができないことがあった。このために吸着板の真空圧を上げてセラミックス製品を確実に吸着させようとすると、製品のリブが内側に変形してしまうという問題点があった。また、吸着が確実に行われてもセラミックス製品の成形型からの浮き上がりが不十分であると、製品が上方に引き伸ばされて変形してしまうという問題点もあった。
【０００４】
更には、従来のような多孔質石膏型の成形型の場合は、一定回数使用後は表面の土の目詰まりを除去するためにヤスリがけを頻繁に行う必要があり、メンテナンス作業が面倒であるという問題点があった。また、端面における型割れを生じやすく１年未満で型寿命が短いという問題点や、そのために複数予備用型を準備する必要があり大きな保管スペースが要求されるという問題点もあった。
【先行技術文献】
【特許文献】
【０００５】
【特許文献１】特開２０００−２３８０２９号公報
【特許文献２】特開平７−１７８７１３号公報
【発明の概要】
【発明が解決しようとする課題】
【０００６】
本発明は上記のような問題点を解決して、懸垂碍子を割れや変形等を生じさせることなく成形型から確実に取り出すことができ、またメンテナンスフリーで取り扱いが容易であり、また型寿命も１０年以上に延ばすことが、更には型の保管スペースも小さくすることができる懸垂碍子成形型を提供することを目的として完成されたものである。
【課題を解決するための手段】
【０００７】
上記課題を解決するためになされた本発明の懸垂碍子成形型は、金属製の型本体の内周面に複数の離型用ブローエア噴出孔を有しており、このブローエア噴出孔には各々エア分岐管が連結され、これらエア分岐管の基部が底部中央に設けたカプラに集約されている懸垂碍子成形型であって、前記カプラは底部の下面側において昇降動するエア供給配管に着脱自在とされており、また底部に前記エア供給配管と干渉しないように独立して昇降自在とされている製品の押し上げ装置を設けたことを特徴とするものである。
【０００８】
また、押し上げ装置は、型本体の底部を形成する底板と、この底板の下方に向けてエア供給配管を囲うように垂設した複数本のロッドと、このロッドを介して取り付けられたエア供給配管挿通陽の孔部を設けた押し上げ板を有しており、この押し上げ板が前記エア供給配管と干渉しない位置に配置されたシリンダにより昇降自在とされているものが好ましく、これを請求項２に係る発明とする。
【０００９】
更に、型本体の下部外周面には、下方に向け縮径するテーパ面が形成されており、このテーパ面をチャックユニットで把持してセンター出しが行われることが好ましく、これを請求項３に係る発明とする。
【発明の効果】
【００１０】
請求項１に係る発明では、金属製の型本体の内周面に複数の離型用ブローエア噴出孔を有しており、このブローエア噴出孔には各々エア分岐管が連結され、これらエア分岐管の基部が底部中央に設けたカプラに集約されている懸垂碍子成形型であって、前記カプラは底部の下面側において昇降動するエア供給配管に着脱自在とされており、また底部に前記エア供給配管と干渉しないように独立して昇降自在とされている製品の押し上げ装置を設けたので、前記カプラをエア供給配管に連結すれば簡単にブローエアを噴出させることができ、その後は押し上げ装置のみを作動させて製品を確実に押し上げることが可能となる。
なお、本発明の成形型は金属製のものであり、従来の多孔質石膏型と異なりメンテナンスフリーとすることができ、また型寿命も１０年以上に延ばすことができ、更には型の保管スペースも小さくすることができる。
【００１１】
また、請求項２に係る発明では、押し上げ装置は、型本体の底部を形成する底板と、この底板の下方に向けてエア供給配管を囲うように垂設した複数本のロッドと、このロッドを介して取り付けられたエア供給配管挿通陽の孔部を設けた押し上げ板を有しており、この押し上げ板が前記エア供給配管と干渉しない位置に配置されたシリンダにより昇降自在とされているので、底板が成形用底型の役割をするとともに製品の押し上げも行い、割れや変形等を発生させることなく製品を型本体から取り出すことが可能となる。また、押し上げ装置の昇降動とエア供給配管の昇降動とが干渉することもない。
【００１２】
また、請求項３に係る発明では、型本体の下部外周面には、下方に向け縮径するテーパ面が形成されており、このテーパ面をチャックユニットで把持してセンター出しが行われるので、カプラと上昇するエア供給配管のセンターが一致してエア漏れが生じることもない。
【図面の簡単な説明】
【００１３】
【図１】本発明の実施の形態を示す正面断面図である。
【図２】図１において押し上げ装置が上昇した状態を示す正面断面図である。
【図３】型本体を示す斜視図である。
【図４】懸垂碍子を成形後、エアブロー前の状態を示す正面図である。
【図５】エアブロー時の状態を示す正面図である。
【図６】底板を上昇した時の状態を示す正面図である。
【図７】チャックユニットを示す平面図である。
【発明を実施するための形態】
【００１４】
以下に、図面を参照しつつ本発明の好ましい実施の形態を示す。
図１は、本発明の成形型を示す正面断面図、図２は図１において押し上げ装置が上昇した状態を示す正面断面図であり、図において１は金属製の型本体、Ｗはこの型本体１によって加圧成形される複雑な形状の懸垂碍子である。このような懸垂碍子の成形型では、原料となる杯土がこの型本体１と、図示しない焼鏝と称される表面をガスバーナで加熱処理した押し型とにより加圧成形されて懸垂碍子Ｗが生産される。また、このような成形は周知の直線移動式のプレス成形機により連続的に行われる。
【００１５】
前記型本体１の内周面には、図３に示すように、複数の製品離型用のブローエア噴出孔２が同心状に均等な間隔で設けられている。このブローエア噴出孔２は、型本体１に形成した孔部に通気性のある焼結金属を埋め込んだものである。また、底部には後述する製品の押し上げ装置を備えたものとなっている。そして、前記ブローエア噴出孔２からのブローエアの噴出により、型面から懸垂碍子を僅かに浮かせ、その後更に押し上げ装置で押し上げて製品を完全に型外へ押し上げることで、製品取り出し時における割れや変形等の発生を有効に防止している。
【００１６】
前記ブローエア噴出孔２には各々エア分岐管３が連結されており、これらエア分岐管３の基部は底部中央に設けた雌型のカプラ４ａに集約されている。また、この雌型のカプラ４ａは型本体１の底部中央の下面側において昇降動するエア供給配管５に着脱自在とされている。
即ち、図４〜図５に示されるように、エア供給配管５の下部にはエアシリンダ６が設置され、このエアシリンダ６の作動によりエア供給配管５が昇降動するよう構成されており、上昇時においてエア供給配管５の上端に設けた雄型のカプラ４ｂが前記雌型のカプラ４ａに嵌合する構造となっている。
これにより、エア供給配管５から供給されるブローエアが各エア分岐管３を通じてブローエア噴出孔２から型内表面に向けて噴出され、ブロー圧によって懸垂碍子Ｗが僅かに浮いて離型することとなる。
【００１７】
一方、押し上げ装置７は前記エア供給配管５とは独立して昇降自在とされている。
この押し上げ装置７は、型本体１の底部を形成する底板７ａと、この底板７ａから下方に向けてエア供給配管５を囲うように垂設した複数本のロッド７ｂと、このロッド７ｂを介して取り付けられた押し上げ板７ｃを有しており、この押し上げ板７ｃがエア供給配管５及びその昇降装置などと干渉しない位置に配置されたシリンダ８により昇降自在となっている。
【００１８】
更に詳述すると、図５に示されるように、押し上げ装置７は底部を形成する円板状の底板７ａと押し上げ板７ｃとが外周部に配置した複数本のロッド７ｂで連結した構造となっており、常時は自重によって底板７ａが底部を形成する位置に下がった状態となっている。また、押し上げ板７ｃの中央には孔部７ｄが設けられており、この孔部７ｄ内をエア供給配管５が挿通され両者が干渉しないよう構成されている。
また、押し上げ装置７を昇降動するためのエアシリンダ８は前記エア供給配管５を昇降動するエアシリンダ６とは干渉しない位置に設置されている。そして、このエアシリンダ８のロッド８ａの先端には板状ブラケット９が取り付けられており、このブラケット９の上昇動作により押し上げ板７ｃが上昇し、この結果、底板７ａが上昇して懸垂碍子Ｗを押し上げる構造となっている（図６参照）。
【００１９】
なお、型本体１は搬送用ブラケット１１に支持されて各ステーッションを順次移動するので、移動後において型本体１が各ステーッションのセンターに正確に位置合わせされる必要がある。そのため、型本体１の下部外周面には、下方に向け縮径するテーパ面１２が形成されており、このテーパ面１２をチャックユニット１３で把持してセンター出しを行っている。これにより、カプラ４ａ、４ｂの嵌合や押し上げ装置７の正確な押し上げが可能となる。
このチャックユニット１３は、例えば図７に示されるように、３等分した位置に配置した３個の爪部材１３ａを有するものであり、この爪部材１３ａの先端部と前記テーパ面１２を一致させることにより、簡単にセンター出しを行う構造となっている。
【００２０】
以上のように構成した本発明の成形型は、通常のプレス成形機に装着して使用に供され、原料となる坏土がこの型本体１と図示しない表面をガスバーナで加熱処理した押し型とにより加圧成形されて懸垂碍子Ｗが連続的に生産されることとなる。
図４は加圧成形を終えた状態を示しており、この後、懸垂碍子Ｗを取り出す場合、図５に示されるように、エアシリンダ６の作動によりエア供給配管５が上昇して上端にある雄型のカプラ４ｂが型本体１の下部にある雌型のカプラ４ａに嵌合する構造となっている。これにより、エア供給配管５から供給されるブローエアが各エア分岐管３を通じてブローエア噴出孔２から型内表面に向けて噴出され、ブロー圧によって懸垂碍子Ｗが僅かに浮いて離型することとなる。
【００２１】
次いで、図６に示されるように、エアシリンダ８が押し上げ装置７を上昇させると、先端の板状ブラケット９が上昇し、これにより押し上げ板７ｃ及び底板７ａが上昇して懸垂碍子Ｗを押し上げることとなる。
このように本発明の成形型によれば、加圧成形された懸垂碍子Ｗがブローエアの噴出と、押し上げ装置の上昇により割れや変形等を生じさせることなく成形型から確実に取り出すことができることとなる。
【符号の説明】
【００２２】
１  型本体
２  ブローエア噴出孔
３  エア分岐管
４ａ  カプラ
４ｂ  カプラ
５  エア供給配管
６  エアシリンダ
７  押し上げ装置
７ａ  底板
７ｂ  ロッド
７ｃ  押し上げ板
８  エアシリンダ
８ａ  シリンダロッド
９  板状ブラケット
１１  搬送用ブラケット
１２  テーパ面
１３  チャックユニット
Ｗ  懸垂碍子
【図１】
2011194716.tif 000003
【図２】
2011194716.tif 000004
【図３】
2011194716.tif 000005
【図４】
2011194716.tif 000006
【図５】
2011194716.tif 000007
【図６】
2011194716.tif 000008
【図７】
2011194716.tif 000009